【手続補正書】
【提出日】平成20年10月24日(2008.10.24)
【手続補正１】
【補正対象書類名】特許請求の範囲
【補正対象項目名】全文
【補正方法】変更
【補正の内容】
【特許請求の範囲】
【請求項１】
外部装置から受信したデータの印刷を印刷装置の操作部でのユーザによる印刷装置の操作があった後に行う印刷方法を実行可能な印刷装置と通信可能な情報処理装置であって、
前記印刷方法で印刷されるべきことを示す属性を印刷対象データが有しているかどうかを判定する判定手段と、
前記印刷方法で印刷されるべきことを示す属性を印刷対象データが有している場合、前記印刷対象データを前記印刷方法により印刷するように前記印刷方法を実行可能な印刷装置を制御する制御手段とを有することを特徴とする情報処理装置。
【請求項２】
前記印刷方法は、前記情報処理装置から受信した印刷データを印刷することなく前記印刷データを保持しておき前記印刷装置の操作部でのユーザによる操作があった後に前記保持した印刷データを印刷することを特徴とする請求項１記載の情報処理装置。
【請求項３】
前記印刷方法は、前記印刷装置の操作部でのユーザによる印刷装置の操作があった後に他の装置から印刷データを取得して印刷することを特徴とする請求項１記載の情報処理装置。
【請求項４】
前記印刷方法で印刷されるべきことを示す属性を識別する属性情報は、前記印刷対象データに付加されていて、
前記判定手段は、前記印刷対象データの印刷要求を受付けた時に、前記印刷対象データに付加されている前記属性情報を読み出して、前記印刷対象データの属性を判定することを特徴とする請求項１〜３のいずれかに記載の情報処理装置。
【請求項５】
前記情報処理装置は、前記印刷対象データが前記印刷方法で印刷されるべきことを示す属性を識別する属性情報を保持するサーバ装置と通信可能であり、
前記判定手段は、前記印刷対象データの印刷要求を受付けた時に、前記属性情報を前記サーバ装置から取得して、前記印刷対象データの属性を判定することを特徴とする請求項１〜３のいずれかに記載の情報処理装置。
【請求項６】
前記制御手段は、前記印刷方法で印刷されるべきことを示す属性を前記印刷対象データが有している場合、前記印刷方法を実行可能な複数の印刷装置を識別する情報を操作者に通知して、前記操作者に前記複数の印刷装置のうちの１つを選択させるように制御する、
ことを特徴とする請求項１〜５のいずれかに記載の情報処理装置。
【請求項７】
前記制御手段は、前記印刷方法で印刷されるべきことを示す属性を前記印刷対象データが有している場合、印刷装置を識別する複数の情報を前記印刷方法の実行の可否を示す情報とともに操作者に通知して、前記操作者に前記複数の印刷装置のうちの１つを選択させるように制御する、
ことを特徴とする請求項１〜５のいずれかに記載の情報処理装置。
【請求項８】
前記制御手段は、前記印刷方法を実行できない印刷装置が選択された場合には前記印刷対象データの印刷を許可しない
ことを特徴とする請求項６又は７記載の情報処理装置。
【請求項９】
前記印刷方法を実行可能な印刷装置を識別する情報を、記憶する記憶手段を有することを特徴とする請求項１〜８のいずれかに記載の情報処理装置。
【請求項１０】
前記印刷装置が前記印刷方法を実行可能か否かを示す情報を前記印刷装置から取得する取得手段を有することを特徴とする請求項１〜９のいずれかに記載の情報処理装置。
【請求項１１】
外部装置から受信したデータの印刷を印刷装置の操作部でのユーザによる印刷装置の操作があった後に印刷方法を実行可能な印刷装置と通信可能な情報処理装置における印刷制御方法であって、
前記印刷方法で印刷されるべきことを示す属性を印刷対象データが有しているかどうかを判定する判定ステップと、
前記印刷方法で印刷されるべきことを示す属性を印刷対象データが有している場合、前記印刷対象データを前記印刷方法により印刷するように前記印刷方法を実行可能な印刷装置を制御する制御ステップを有することを特徴とする印刷制御方法。
【請求項１２】
請求項１１に記載された印刷制御方法をコンピュータに実行させるためのプログラム。
【請求項１３】
請求項１１に記載された印刷制御方法をコンピュータに実行させるためのプログラムを
コンピュータが読み取り可能に記憶した記憶媒体。
【手続補正２】
【補正対象書類名】明細書
【補正対象項目名】発明の名称
【補正方法】変更
【補正の内容】
【発明の名称】情報処理装置および印刷制御方法およびプログラムおよび記憶媒体
【手続補正３】
【補正対象書類名】明細書
【補正対象項目名】０００７
【補正方法】変更
【補正の内容】
【０００７】
本発明は、外部装置から受信したデータの印刷を印刷装置の操作部でのユーザによる印刷装置の操作があった後に行う印刷方法を実行可能な印刷装置と通信可能な情報処理装置であって、前記印刷方法で印刷されるべきことを示す属性を印刷対象データが有しているかどうかを判定する判定手段と、前記印刷方法で印刷されるべきことを示す属性を印刷対象データが有している場合、前記印刷対象データを前記印刷方法により印刷するように前記印刷方法を実行可能な印刷装置を制御する制御手段とを有する。
【手続補正４】
【補正対象書類名】明細書
【補正対象項目名】００３９
【補正方法】変更
【補正の内容】
【００３９】
ステップS202において、CPU11は、印刷アプリケーション301を起動する。以降、CPU11により実行される印刷アプリケーション301はRAM12上に常駐し、ファイルに対する印刷指示を監視する。
【手続補正５】
【補正対象書類名】明細書
【補正対象項目名】００５２
【補正方法】変更
【補正の内容】
【００５２】
ステップS214において、印刷アプリケーション301は、印刷が許可されていないと判定されたプリンタに対しては印刷不可とし、印刷が許可されていると判定されたプリンタに対しては印刷可とするUI（後述する図９に示す）を作成する。そして、該UIをUI表示装置１６に表示するように制御し、図８のステップS301へ処理を進める。
【手続補正６】
【補正対象書類名】明細書
【補正対象項目名】００９４
【補正方法】変更
【補正の内容】
【００９４】
ステップS411において、ファイルアクセス権限制御サーバアプリケーションは、上記受信したコマンド内の要求識別子1502が「留め置きプリント指定追加要求」か「留め置きプリント指定削除要求」かを判断する。そして、ファイルアクセス権限制御サーバアプリケーションは、「留め置きプリント指定追加要求」であると判定した場合には、ステップS412に処理を進める。
【手続補正７】
【補正対象書類名】明細書
【補正対象項目名】００９５
【補正方法】変更
【補正の内容】
【００９５】
ステップS412において、ファイルアクセス権限制御サーバアプリケーションは、前記受信したコマンド内の指定された文書識別子1504を「プリンタを留め置きプリント指定あり」とするように、ファイルアクセス権限管理テーブル1600に設定する。そして、ステップS403に処理を戻す。
【手続補正８】
【補正対象書類名】明細書
【補正対象項目名】０１０８
【補正方法】変更
【補正の内容】
【０１０８】
ステップS502において、CPU11は、印刷アプリケーション301を起動する。以降、CPU11により実行される印刷アプリケーション301はRAM12上に常駐し、ファイルに対する印刷指示を監視する。
【手続補正９】
【補正対象書類名】明細書
【補正対象項目名】０１１３
【補正方法】変更
【補正の内容】
【０１１３】
一方、ステップS506で、印刷アプリケーション301は、前記オープンしている印刷指示対象ファイルに文書識別子1301があったと判定した場合には、ステップS509に処理を進める。そして、ステップS509において、その文書識別子に関連つけられた印刷方法が留め置きプリントであるかを示す情報を、アクセス権限管理サーバ1201に要求して取得する。具体的には、印刷アプリケーション301は、図１５に示したようなコマンドを作成する。そのときユーザ識別子1502をクライアント機器101を操作しているユーザのユーザIDとする。また、要求識別子1503を「印刷許可プリンタ情報取得要求」を示す識別子とする。さらに、文書識別子1504を上記文書識別子1301とする。そして、印刷アプリケーション301は、該コマンドをアクセス権限管理サーバ1201に送信し、アクセス権限管理サーバ1201から返信される情報（図１４のステップS416またはS417で送信される情報）を取得する。なお、所定時間内にアクセス権限管理サーバ1201から返信がない場合には、その旨をUI表示装置16に表示するように制御する。そして、ステップS504へ処理を戻す。
【手続補正１０】
【補正対象書類名】明細書
【補正対象項目名】０１２７
【補正方法】変更
【補正の内容】
【０１２７】
ユーザコマンド入力装置15を用いて図９，図１９に示したようなＵＩより、印刷を実行するプリンタが選択され、印刷実行ボタン904が指示されると、印刷アプリケーション301は、ステップS601に処理を進める。
【手続補正１１】
【補正対象書類名】図面
【補正対象項目名】図２
【補正方法】変更
【補正の内容】
【図２】
2007122215.tif 000001
【手続補正１２】
【補正対象書類名】図面
【補正対象項目名】図３
【補正方法】変更
【補正の内容】
【図３】
2007122215.tif 000002
【手続補正１３】
【補正対象書類名】図面
【補正対象項目名】図６
【補正方法】変更
【補正の内容】
【図６】
2007122215.tif 000003
【手続補正１４】
【補正対象書類名】図面
【補正対象項目名】図１３
【補正方法】変更
【補正の内容】
【図１３】
2007122215.tif 000004
【手続補正１５】
【補正対象書類名】図面
【補正対象項目名】図１４
【補正方法】変更
【補正の内容】
【図１４】
2007122215.tif 000005
【手続補正１６】
【補正対象書類名】図面
【補正対象項目名】図１７
【補正方法】変更
【補正の内容】
【図１７】
2007122215.tif 000006